(57)【要約】【課題】液晶表示装置において、１つの液晶パネル上で異なる２つの表示画像を２人の観察者が個別に視認できる２画面表示の実現を図る。【解決手段】液晶表示装置は、第１の偏光板１１上に、第１の位相差Φ１もしくは第２の位相差Φ２が付与される第１及び第２のストライプ部２０Ａ，２０Ｂからなる偏光制御液晶素子２０を備える。その上に、複数のレンチキュラーレンズ３０が配置されている。また、その上に設けられた第１の位相差板４０の第３及び第４のストライプ部４０Ａ，４０Ｂは、それぞれ第３の位相差Φ３及び第４の位相差Φ４を有し、第１及び第２のストライプ部２０Ａ，２０Ｂと直交して交互に配置されている。その上に配置された液晶パネル５０には、第３及び第４のストライプ部４０Ａ，４０Ｂのピッチに応じて液晶パネル５０の各行の画素５０Ｐを水平ライン反転駆動する制御回路ＣＮＴが接続されている。【選択図】図１
2007304236.tif 000002
【特許請求の範囲】
【請求項１】
光源と、
前記光源に対向する偏光板と、
前記偏光板上に配置され、第１の位相差もしくは第２の位相差が付与される第１のストライプ部及び第２のストライプ部からなる偏光制御液晶素子と、
前記偏光制御液晶素子上で前記第１及び第２のストライプ部と平行に配置された複数のレンズ部と、
第３の位相差を有した第３のストライプ部及び第４の位相差を有した第４のストライプ部が前記第１及び第２のストライプ部と直交して交互に配置された位相差板と、
走査線及び表示信号線に接続された複数の表示画素が配置された液晶パネルと、
前記第３及び第４のストライプ部のピッチに応じて前記走査線毎に前記表示信号線に印加される表示信号の極性を反転する制御回路と、を備えることを特徴とする液晶表示装置。
【請求項２】
前記位相差板の第３のストライプ部及び第４のストライプ部は、前記液晶パネルの前記表示画素のピッチの奇数倍と実質的に等しいピッチを有しており、
前記制御回路は、連続する偶数個の前記走査線毎に、前記表示信号の極性を反転することを特徴とする請求項１記載の液晶表示装置。
【請求項３】
前記位相差板の第３のストライプ部及び第４のストライプ部は、前記液晶パネルの前記表示画素のピッチの偶数倍と実質的に等しいピッチを有しており、
前記制御回路は、１つの前記走査線毎に、もしくは連続する奇数個の前記走査線毎に前記表示信号の極性を反転すること特徴とする請求項１記載の液晶表示装置。
【発明の詳細な説明】
【技術分野】
【０００１】
本発明は、液晶表示装置に関し、特に、１つの液晶パネル上で２画面表示が可能な液晶表示装置に関する。
【背景技術】
【０００２】
従来より、テレビ受像機や情報機器等に搭載される表示装置として、表示用の液晶パネルを用いた液晶表示装置が知られている。この液晶表示装置に関しては、近年の情報機器の多様化に伴い、通常の１画面表示のみならず、１つの液晶パネル上で異なる２つの表示画像を２人の観察者が個別に視認できる２画面表示や、立体視を可能にする３次元表示等の多用な表示モードの実現が求められている。
【０００３】
なお、本願に関連する技術文献としては、以下の特許文献が挙げられる。
【特許文献１】特開２００４−２８００４２号公報
【発明の開示】
【発明が解決しようとする課題】
【０００４】
しかしながら、２画面表示や３次元表示等の表示モードを有する液晶表示装置の開発は未だに不充分なものであり、さらなる進展が求められていた。また、２画面表示や３次元表示等の異なる表示モードを任意に切り替えることが可能な液晶表示装置についても、さらなる開発の要望があった。
【課題を解決するための手段】
【０００５】
本発明の液晶表示装置は、上記課題に鑑みて為されたものであり、光源と、光源に対向する偏光板と、偏光板上に配置され、第１の位相差もしくは第２の位相差が付与される第１のストライプ部及び第２のストライプ部からなる偏光制御液晶素子と、偏光制御液晶素子上で第１及び第２のストライプ部と平行に配置された複数のレンズ部と、第３の位相差を有した第３のストライプ部及び第４の位相差を有した第４のストライプ部が第１及び第２のストライプ部と直交して交互に配置された位相差板と、走査線及び表示信号線に接続された複数の表示画素が配置された液晶パネルと、第３及び第４のストライプ部のピッチに応じて走査線毎に表示信号線に印加される表示信号の極性を反転する制御回路と、を備えることを特徴とする。
【発明の効果】
【０００６】
本発明の液晶表示装置によれば、１つの液晶パネル上で異なる２つの表示画像を２人の観察者が個別に視認できる２画面表示が実現される。また、２画面表示において液晶パネルを水平ライン反転駆動する際に、表示品位の劣化を抑止することができる。
【０００７】
さらに、上記２次元の２画面表示のみならず、２次元の１画面表示及び３次元の１画面表示の各表示モードを１つの液晶表示装置で任意に切り替えることが可能となる。
【発明を実施するための最良の形態】
【０００８】
次に、本発明の第１の実施形態に係る液晶表示装置について図面を参照して説明する。図１は、本実施形態に係る液晶表示装置を模式的に説明する斜視図である。また、図２は、図１のＸ−Ｘ線に沿った断面図である。また、図３は、後述する図２の偏光制御液晶素子２０を説明する平面図である。
【０００９】
図１及び図２に示すように、光源ＢＬと対向して、その光（偏光されていない光）から直線偏光を抽出する第１の偏光板１１が配置されている。光源ＢＬと対向しない側の第１の偏光板１１上には、第１の偏光板１１により抽出された直線偏光の偏光軸の角度（直線偏光の進行方向と直交する平面における偏光軸の角度）を、所定の光学的位相差（以降、単に位相差と略称する）により制御する偏光制御液晶素子２０が配置されている。
【００１０】
偏光制御液晶素子２０は、ガラス等の第１の透明基板２１、第２の透明基板２２及びシール２３によって封止された液晶層ＬＣからなる。液晶層ＬＣは、特に限定されないが、ここでは一例として、電界制御複屈折（ECB; Electrically Controlled Birefringence）モードにより駆動するものとする。
【００１１】
第１の透明基板２１上には、ＩＴＯ（Indium Tin Oxide）等の透明金属からなる複数の第１の透明電極２４が配置されている。第１の透明電極２４は、図３のようにストライプ状に形成されており、互いに絶縁されている。また、第２の透明基板２２上には、共通電位が供給される共通電極として、ＩＴＯ等の透明金属からなる第２の透明電極２５が配置されている。
【００１２】
この偏光制御液晶素子２０の液晶層ＬＣは、複数の第１のストライプ部２０Ａ及び第２のストライプ部２０Ｂに区分されている。第１のストライプ部２０Ａ及び第２のストライプ部２０Ｂでは、第１の透明電極２４への印加電圧を制御することにより、各液晶層ＬＣに第１の位相差Φ１もしくは第２の位相差Φ２が付与される。第１の透明電極２４へ電圧が印加される場合の位相差を第１の位相差Φ１とし、電圧が印加されない場合の位相差を第２の位相差Φ２とする。
【００１３】
ここで、偏光制御液晶素子２０に入射する直線偏光の波長をλとし、Ｒを任意の位相差とすると、第１の位相差Φ１はＲであり、入射する直線偏光の偏光軸の角度を位相差Ｒに応じて回転させるものである。また、第２の位相差Φ２はＲ＋λ／２であり、入射する直線偏光の偏光軸の角度を位相差Ｒ＋λ／２に応じて回転させるものである。
【００１４】
さらに、第１の偏光板１１と対向しない側の偏光制御液晶素子２０上には、第１及び第２のストライプ部２０Ａ,２０Ｂの長手方向に沿って平行に凸面が連続する複数のレンズ部３０ａが並ぶレンチキュラーレンズ３０が配置されている。１つのレンズ部３０ａは、１対の第１のストライプ部２０Ａ及び第２のストライプ部２０Ｂに対応して、これを覆うように配置されている。
【００１５】
これらのレンズ部３０ａは、第１及び第２のストライプ部２０Ａ,２０Ｂから出射された直線偏光を、第１及び第２のストライプ部２０Ａ,２０Ｂ毎に第１の観察者Ａに向かう方向、もしくは第２の観察者Ｂに向かう方向に屈折させる。なお、第１の観察者Ａ及び第２の観察者Ｂの存在する各領域は、第１及び第２のストライプ部２０Ａ,２０Ｂの長手方向に沿って平行な線分によって区分される。
【００１６】
偏光制御液晶素子２０と対向しない側のレンチキュラーレンズ３０上には、第１の位相差板４０が配置されている。第１の位相差板４０には、複数の第３のストライプ部４０Ａ及び第４のストライプ部４０Ｂが交互に配置されている。第３及び第４のストライプ部４０Ａ，４０Ｂは、偏光制御液晶素子２０の第１及び第２のストライプ部２０Ａ，２０Ｂの長手方向と直交するように配置されている。
【００１７】
第３のストライプ部４０Ａには第３の位相差Φ３が付与され、第４のストライプ部４０Ｂには第４の位相差Φ４が付与されている。第３の位相差Φ３は、０もしくはλ、もしくはそれらに近似した位相差であり、入射する直線偏光の偏光軸の角度を変化させないか、もしくは僅かに変化させるものである。また、第４の位相差Φ４はλ／２もしくはそれに近似した位相差であり、入射する直線偏光の偏光軸の角度を約９０度回転させるものである。
【００１８】
また、第３のストライプ部４０Ａ及び第４のストライプ部４０Ｂの各ピッチは、後述する液晶パネル５０を構成する画素の垂直方向のピッチＰと同一もしくは略同一である。この第１の位相差板４０は、特に限定されないが、例えば、基材上に位相差を有した層をストライプ状にパターニングすることにより形成される。
【００１９】
レンチキュラーレンズ３０と対向しない側の第１の位相差板４０上には、複数の画素５０Ｐを有し第１の表示画像および第２の表示画像を提供する表示用の液晶パネル（以降、「液晶パネル」と略称する）５０が配置されている。液晶パネル５０は、ガラス等の第３の透明基板５１、第４の透明基板５２及びシール５３によって封止された液晶層ＬＣからなる。液晶パネル５０の液晶層ＬＣは、特に限定されないが、例えば、電界制御複屈折モードにより駆動する。
【００２０】
第３の透明基板５１上には、ＩＴＯ等の透明金属からなる複数の第３の透明電極５４が配置されている。第３の透明電極５４は、互いに絶縁され、マトリクス状に配置されている。また、第４の透明基板５２上には、共通電位が供給される共通電極として、ＩＴＯ等の透明金属からなる第４の透明電極５５が配置されている。
【００２１】
ここで、上記構成の画素５０Ｐの等価回路図を図４に示す。図４に示すように、画素５０Ｐは、画素選択信号が供給される走査線ＧＬと、表示信号が供給される表示信号線ＤＬとに囲まれる領域に配置されている。第３の透明電極５４には、トランジスタＴｒを介して表示信号線ＤＬから表示信号が印加される。
【００２２】
さらに、液晶パネル５０は、第２の偏光板１２及び第３の偏光板１３によって挟まれている。第２の偏光板１２は第１の偏光板１１と同一の偏光軸の角度を有している。また、第３の偏光板１３は、第２の偏光板１２に対してクロスニコル配置（偏光軸の角度が互いに直交する配置）されている。なお、液晶パネル５０の画素５０Ｐの垂直方向のピッチＰは、上記第１の位相差板４０の第３及び第４のストライプ部４０Ａ,４０Ｂのピッチと同一もしくは略同一である。
【００２３】
また、図５のように第１の偏光板１１と対向する側の偏光制御液晶素子２０上には、第２の位相差板４２が配置されてもよい。この第２の位相差板４２の位相差は、偏光制御液晶素子２０の第１の位相差Φ１と同じ位相差Ｒである。以降、本実施形態ではＲ＝λ／４として説明を行う。
【００２４】
さらに、本実施形態では、図２に示すように、第３の透明電極５４に表示信号線ＤＬを介して制御回路ＣＮＴが接続されている。この制御回路ＣＮＴは、図４の１つの走査線ＧＬに接続されて水平方向に連なる一群の画素５０Ｐ（以降、「液晶パネル５０の行」と略称する）を単位として、表示信号の極性を反転する水平ライン反転駆動を行う。さらに、この制御回路ＣＮＴは、必要に応じて、液晶パネル５０の連続する複数の行を単位として水平ライン反転駆動を行うように表示信号を制御する。
【００２５】
次に、本実施形態の液晶表示装置の動作について図面を参照して説明する。図５は、本実施形態の液晶表示装置の動作を説明する概念図である。
【００２６】
図５に示すように、最初に、第１の偏光板１１により光源ＢＬの光（偏光されていない光）から直線偏光が抽出される。この直線偏光は、第２の位相差板４２に入射し、その偏光軸の角度が位相差Ｒに応じて回転して（Ｒ＝λ／４の場合は円偏光となって）、偏光制御液晶素子２０へ入射する。
【００２７】
ここで、偏光制御液晶素子２０の第１のストライプ部２０Ａへ入射した光は、第１の位相差Φ１即ちＲにより、入射前の偏光軸の角度を保ったまま直線偏光となって出射される。一方、第２のストライプ部２０Ｂへ入射した光は、第２の位相差Φ２即ちＲ＋λ／２により、偏光軸の角度が入射前に比して約９０度回転した直線偏光となって出射される。この直線偏光の偏光軸の角度は、第１及び第２の偏光板１１,１２の偏光軸と直交する角度となる。なお、このとき偏光制御液晶素子２０内で生じる複屈折による不要な位相差が除去される。
【００２８】
次に、第１のストライプ部２０Ａ及び第２のストライプ部２０Ｂから出射された上記偏光軸の異なる２種類の直線偏光は、レンチキュラーレンズ３０を透過する。これにより、第１のストライプ部２０Ａ及び第２のストライプ部２０Ｂから出射された直線偏光は、それぞれ、第１の観察者Ａに向かう方向、及び第２の観察者Ｂに向かう方向に屈折されると共に、第１の位相差板４０に入射する。
【００２９】
ここで、第１の位相差板４０の第３のストライプ部４０Ａを透過する上記２種類の直線偏光は、第３の位相差Φ３により、そのままの偏光軸の角度を保ちながら第２の偏光板１２へ入射する。このとき、上記２種類の直線偏光のうち、偏光制御液晶素子２０の第１のストライプ部２０Ａを透過した第１の観察者Ａに向かう直線偏光は、その偏光軸の角度が第２の偏光板１２の偏光軸と一致するため、この第２の偏光板１２を透過して液晶パネル５０に入射する。一方、偏光制御液晶素子２０の第２のストライプ部２０Ｂを透過した第２の観察者Ｂに向かう直線偏光は、その偏光軸の角度が第２の偏光板１２の偏光軸と直交するため、この第２の偏光板１２を透過しない。即ち、第３のストライプ部４０Ａを透過する光は、第１の観察者Ａの方向のみに向かう。
【００３０】
また、第１の位相差板４０の第４のストライプ部４０Ｂを透過する上記２種類の直線偏光は、第４の位相差Φ４により、その偏光軸が９０度回転して第２の偏光板１２へ入射する。このとき、上記２種類の直線偏光のうち、偏光制御液晶素子２０の第１のストライプ部２０Ａを透過して第１の観察者Ａに向かう直線偏光は、その偏光軸の角度が第２の偏光板１２の偏光軸と直交するため、この第２の偏光板１２を透過しない。一方、第２のストライプ部２０Ｂを透過して第２の観察者Ｂに向かう直線偏光は、その偏光軸の角度が第２の偏光板１２の偏光軸と一致するため、この第２の偏光板１２を透過して液晶パネル５０に入射する。即ち、第４のストライプ部４０Ｂを透過する光は、第２の観察者Ｂの方向のみに向かう。
【００３１】
このとき、液晶パネル５０の各行のうち、第１の位相差板４０の第３のストライプ部４０Ａに対応する行の画素５０Ｐには、第１の表示画像に応じた表示信号が供給される。また、液晶パネル５０の各行のうち、第４のストライプ部４０Ｂに対応する行の画素５０Ｐには、第２の表示画像に応じた表示信号が供給される。
【００３２】
そして、第１の位相差板４０の第３のストライプ部４０Ａから第１の観察者Ａの方向のみに向かう直線偏光は、その第３のストライプ部４０Ａに対応した液晶パネル５０の行の画素５０Ｐを通過し、第３の偏光板１３を介して、第１の表示画像のみを第１の観察者Ａのみに視認させる。
【００３３】
また、第４のストライプ部４０Ｂから第２の観察者Ｂの方向のみに向かう直線偏光は、その第４のストライプ部４０Ｂに対応した液晶パネル５０の行の画素５０Ｐを通り、第３の偏光板１３を介して、第２の表示画像のみを第２の観察者Ｂのみに視認させる。こうして、１つの液晶パネル５０上で、異なる２つの表示画像を２人の観察者が個別に視認できる２画面表示が実現される。
【００３４】
上記２画面表示の際、液晶パネル５０の各行の画素５０Ｐは、いわゆる焼き付きにより生じる残像現象等を抑止するため、制御回路ＣＮＴにより水平ライン反転駆動される。次に、その水平ライン反転駆動の様子について図面を参照して説明する。図６は、本実施形態に係る液晶表示装置の第１の位相差板４０を説明する斜視図であり、図１及び図２に示したものと同様の液晶パネル５０及び第１の位相差板４０を示している。また、図７は、液晶パネル５０の各行の表示信号と第１の位相差板４０の第３及び第４のストライプ部４０Ａ，４０Ｂとの関係を説明する図である。
【００３５】
制御回路ＣＮＴは、液晶パネル５０の１行毎に、即ち１つの走査線ＧＬ毎に、表示信号の極性を反転する。図６及び図７では反転する極性の一方を「＋」で表し、他方の極性を「−」で表している。また、液晶パネル５０の各行を、選択されるｎ行目の走査線ＧＬの順に表している。
【００３６】
このとき、極性が「＋」の表示信号が供給される液晶パネル５０の行に対応する第１の位相差板４０の第３のストライプ部４０Ａ及び第４のストライプ部４０Ｂの行数は共に等しい。同様に、極性が「−」の表示信号が供給される液晶パネル５０の行に対応する第１の位相差板４０の第３のストライプ部４０Ａ及び第４のストライプ部４０Ｂの行数は共に等しい。
【００３７】
ところで、通常の水平ライン反転駆動では、表示信号の極性の違いに応じて液晶パネル５０の各行の画素５０Ｐの輝度にばらつきが生じ、フリッカとなって表示品位が劣化することが知られている。
【００３８】
これに対して本発明では、一方の極性の表示信号が供給される液晶パネル５０の行に対応する第１の位相差板４０の第３のストライプ部４０Ａ及び第４のストライプ部４０Ｂの行数が等しい。そのため、表示信号の極性の違いに応じて液晶パネル５０の各行の輝度にばらつきが生じても、第３のストライプ部４０Ａ及び第４のストライプ部４０Ｂから出射される直線偏光は、それぞれ、各極性の表示信号が供給される液晶パネル５０の行に平均的に入射する。結果として、上記のような表示品位の劣化を抑止することができる。
【００３９】
なお、制御回路ＣＮＴによる水平ライン反転駆動は上記に限定されず、次に示す第２の実施形態のように行われてもよい。図８は、本発明の第２の実施形態に係る液晶表示装置の第１の位相差板を説明する斜視図である。本実施形態では、図８の第１の位相差板７０以外の構成は第１の実施形態と同様である。また、図９は、液晶パネル５０の各行の表示信号と第１の位相差板７０の第３及び第４のストライプ部７０Ａ，７０Ｂとの関係を説明する図である。
【００４０】
図８に示すように、第１の位相差板７０の第３のストライプ部７０Ａ及び第４のストライプ部７０Ｂは、それぞれ、液晶パネル５０の画素５０ＰのピッチＰの奇数倍（３以上）と同一もしくは略同一のピッチを有して形成されている。本実施形態では一例として上記奇数が３である場合を示す。そして、図８及び図９に示すように、制御回路ＣＮＴは、液晶パネル５０の連続する偶数個の行毎に、即ち連続する偶数個の走査線ＧＬ毎に、表示信号の極性を反転する。本実施形態では一例として上記偶数が４である場合を示す。
【００４１】
この場合においても、一方の極性の表示信号が供給される液晶パネル５０の行に対応する第１の位相差板７０の第３のストライプ部７０Ａ及び第４のストライプ部７０Ｂの行数が等しい。従って、第３のストライプ部７０Ａ及び第４のストライプ部７０Ｂから出射される直線偏光は、それぞれ、各極性の表示信号が供給される液晶パネル５０の行に平均的に入射する。結果として、上記表示品位の劣化を抑止することができる。
【００４２】
さらに、制御回路ＣＮＴによる水平ライン反転駆動は上記実施形態に限定されず、次に示す第３の実施形態のように行われてもよい。図１０は、本発明の第３の実施形態に係る液晶表示装置の第１の位相差板を説明する斜視図である。本実施形態では、図１０の第１の位相差板８０以外の構成は第１の実施形態と同様である。また、図１１は、液晶パネル５０の各行の表示信号と第１の位相差板８０の第３及び第４のストライプ部８０Ａ，８０Ｂとの関係を説明する図である。
【００４３】
図１０に示すように、第１の位相差板８０の第３のストライプ部８０Ａ及び第４のストライプ部８０Ｂは、それぞれ、液晶パネル５０の画素５０ＰのピッチＰの偶数倍と同一もしくは略同一のピッチを有して形成されている。本実施形態では一例として上記偶数が２である場合を示す。そして、図１０及び図１１に示すように、制御回路ＣＮＴは、液晶パネル５０の連続する奇数個の行毎に、即ち連続する奇数個の走査線ＧＬ毎に、表示信号の極性を反転する。本実施形態では上記奇数が１である場合を示す。
【００４４】
この場合においても、一方の極性の表示信号が供給される液晶パネル５０の行に対応する第１の位相差板８０の第３のストライプ部８０Ａ及び第４のストライプ部８０Ｂの行数が等しい。従って、第３のストライプ部８０Ａ及び第４のストライプ部８０Ｂから出射される直線偏光は、それぞれ、各極性の表示信号が供給される液晶パネル５０の行に平均的に入射する。結果として、上記表示品位の劣化を抑止することができる。
【００４５】
なお、上述した第１乃至第３の実施形態では、必要に応じて、偏光制御液晶素子２０に対するレンチキュラーレンズ３０の配置位置を調節することにより、偏光制御液晶素子２０の第１及び第２のストライプ部２０Ａ，２０Ｂから出射された直線偏光の進行方向を任意に変化させることができる。
【００４６】
例えば、偏光制御液晶素子２０の第１及び第２のストライプ部２０Ａ，２０Ｂから出射された直線偏光が屈折される方向を、１人の観察者の左眼及び右眼の各方向に合わせてもよい。この場合、液晶パネル５０の各行に、交互に立体視用の２つの表示画像を表示すれば、３次元の１画面表示モードとなる。
【００４７】
また、必要に応じて、第１及び第２のストライプ部２０Ａ，２０Ｂの全てが同一の位相差となるように第１の透明電極２４への電圧印加の有無を制御してもよい。この場合、直線偏光が一方の方向のみに進行し、１人の観察者のみによる視認が行われる。
【００４８】
即ち、２次元の２画面表示、２次元の１画面表示、及び３次元の１画面表示の各表示モードを、１つの液晶表示装置で任意に切り替えることが可能となる。
【００４９】
また、上述した第１乃至第３の実施形態では、偏光制御液晶素子２０の液晶層ＬＣは電界制御複屈折モードにより駆動するものとしたが、本発明はこれに限定されない。即ち、上記と同等の効果を奏する水平ライン反転駆動が行われるものであれば、液晶層ＬＣは上記以外のモードにより駆動されるものでであってもよい。例えば、図示しないが、液晶層ＬＣは、いわゆるＶＡ（Vertically Aligned）モードにより駆動されるものであってもよい。この場合、第２の位相差板４２の替わりに第３の位相差板が配置され、レンチキュラーレンズ３０と液晶パネル５０との間に第４の位相差板が配置される。第３の位相差板及び第４の位相差板の位相差は同一であり、例えばλ／４である。
【図面の簡単な説明】
【００５０】
【図１】本発明の第１の実施形態に係る液晶表示装置を説明する斜視図である。
【図２】図１のＸ−Ｘ線に沿った断面図である。
【図３】図２の液晶表示装置の偏光制御液晶素子を説明する平面図である。
【図４】図２の液晶表示装置の液晶パネルの表示画素の等価回路図である。
【図５】本発明の第１の実施形態に係る液晶表示装置の動作を説明する概念図である。
【図６】本発明の第１の実施形態に係る液晶表示装置の位相差板を説明する斜視図である。
【図７】本発明の第１の実施形態に係る液晶パネルの各行の表示信号と第１の位相差板の第３及び第４のストライプ部との関係を説明する図である。
【図８】本発明の第２の実施形態に係る液晶表示装置の位相差板を説明する斜視図である。
【図９】本発明の第２の実施形態に係る液晶パネルの各行の表示信号と第１の位相差板の第３及び第４のストライプ部との関係を説明する図である。
【図１０】本発明の第３の実施形態に係る液晶表示装置の位相差板を説明する斜視図である。
【図１１】本発明の第３の実施形態に係る液晶パネルの各行の表示信号と第１の位相差板の第３及び第４のストライプ部との関係を説明する図である。
【符号の説明】
【００５１】
１１  第１の偏光板        １２  第２の偏光板          １３  第３の偏光板
２０  偏光制御液晶素子    ２０Ａ  第１のストライプ部
２０Ｂ  第２のストライプ部                            ２１  第１の透明基板
２２  第２の透明基板      ２３，５３  シール          ２４  第１の透明電極
２５  第２の透明電極      ３０  レンチキュラーレンズ  ３０ａ  レンズ部
４０，７０，８０  第１の位相差板
４０Ａ，７０Ａ，８０Ａ  第３のストライプ部
４０Ｂ，７０Ｂ，８０Ｂ  第４のストライプ部
４２  第２の位相差板
５０  液晶パネル          ５１  第３の透明基板        ５２  第４の透明基板
５４  第３の透明電極      ５５  第４の透明電極
ＢＬ  光源                ＣＮＴ  制御回路            ＬＣ  液晶層
ＧＬ  走査線              ＤＬ  表示信号線
【図１】
2007304236.tif 000003
【図２】
2007304236.tif 000004
【図３】
2007304236.tif 000005
【図４】
2007304236.tif 000006
【図５】
2007304236.tif 000007
【図６】
2007304236.tif 000008
【図７】
2007304236.tif 000009
【図８】
2007304236.tif 000010
【図９】
2007304236.tif 000011
【図１０】
2007304236.tif 000012
【図１１】
2007304236.tif 000013